(57)【要約】【課題】載置される物品を確実に支持することができるとともに、物品が底側に露出することを防止することができる段ボール製受け台を提供する。【解決手段】段ボール製受け台１は、支持部材２を有する底組箱３と、支持部材を補強する補強片５とを備える。底組箱３は、水平にされた第１底片３５及び第２底片３９により平面視角枠状をなす底面４５が形成され、起立された第１折返し片３６及び第２折返し片４０により平面視井桁状をなす支持部材２が形成されている。補強片５は、第３折返し片５３の先端縁に設けられた第２舌片５５を、第１底片３５及び第１折返し片３６に亘って形成された挿入孔３７に挿入することにより、底面４５により囲まれた開口部４６が底板５２にて塞がれるとともに底板５２の両隅部５２ａが第１底片３５の中央部３５ｂに重合され、第３折返し片５３が第１折返し片３５に係合して起立されるとともに第２折返し片３９に重合されている。【選択図】  図５
2010163168.tif 000002
【特許請求の範囲】
【請求項１】
物品を収容する際に上に載置される物品を支持する支持部材を有する底組箱と、支持部材を補強する補強片とを備える段ボール製受け台において、
底組箱は、
互いに対向する１対の第１側壁、及び、第１側壁に隣り合って互いに対向する１対の第２側壁により形成された角筒状の胴部と、
第１側壁の底縁に折目線を介して連設された第１底片と、
第１底片の先端縁に折目線を介して連設された第１折返し片と、
第２側壁の底縁に折目線を介して連設された第２底片と、
第２底片の先端縁に折目線を介して連設された第２折返し片とを備え、
第１底片を折目線に沿って水平に折り曲げ、第１折返し片を折目線に沿って折り曲げることにより、第１折返し片が起立され、
第２底片を折目線に沿って水平に折り曲げ、第２折返し片を折目線に沿って折り曲げるとともに、第２折返し片の先端縁に設けられた２条の第１切込みにより形成された１対の第１舌片を、第１底片及び第１折返し片に亘って形成された１対の挿入孔に挿入することにより、第２底片の両隅部が第１底片の両隅部に重合されるとともに、第２折返し片が第１折返し片に係合して起立され、
水平にされた第１底片及び第２底片により平面視角枠状をなす底面が形成され、起立された第１折返し片及び第２折返し片により平面視井桁状をなす支持部材が形成され、
補強片は、
第２側壁に相当する長さを有する底板と、
底板の両端縁に折目線を介して連設された１対の第３折返し片とを備え、
第３折返し片を折目線に沿って折り曲げるとともに、第３折返し片の先端縁に設けられた２条の第２切込みにより形成された１対の第２舌片を、前記１対の挿入孔に挿入することにより、底面により囲まれた開口部が底板にて塞がれるとともに底板の両隅部が第１底片の中央部に重合され、第３折返し片が第１折返し片に係合して起立されるとともに第２折返し片に重合されることを特徴とする段ボール製受け台。
【請求項２】
前記各折返し片は、先端縁に前記物品の形状に合致する凹部を備えることを特徴とする請求項１記載の段ボール製受け台。
【発明の詳細な説明】
【技術分野】
【０００１】
本発明は、段ボール箱内に収納される物品を載置するための段ボール製受け台であって、特に物品の底部に突起部分を有するシャワートイレ等の支持に適した段ボール製受け台に関する。
【背景技術】
【０００２】
従来、この種の段ボール製受け台としては、上に載置される物品を支持する支持部材を有する底組箱と、支持部材を補強する補強片とを備えるものが知られている（例えば特許文献１参照）。
【０００３】
図６に示す段ボール製受け台１０１は、平面視井桁状の支持部材１０２を有する平面視平面視角枠状の底組箱１０３と、断面視逆U字状の補強片１０４とで構成されている。
【０００４】
底組箱１０３は、角筒状の胴部１０５の底縁に連設され互いに対向する１対の第１底フラップを、胴部１０５の内側に水平に折り曲げて第１底面を形成し、さらに折り返して起立させることにより第１支持部材１０２ａを形成するとともに、胴部１０５の底縁に連設され第１底フラップに隣り合って互いに対向する１対の第２底フラップを、同様に折り返して第２底面を形成し、第１支持部材１０２ａに係合させて起立させることにより第２支持部材１０２ｂを形成したものである。これにより、底組箱１０３には、第１底面及び第２底面からなり平面視角枠状をなす底面が形成され、起立された第１支持部材１０２ａ及び第２支持部材１０２ｂからなる支持部材１０２が形成されている。
【０００５】
一方、補強片１０４は、第１支持部材１０２ａに相当する長さを有する１対の起立片１０６と、１対の起立片１０６をその天縁の両端部に跨って連結させる１対の連結片１０７とで構成されている。補強片１０４は、第２支持部材１０２の天縁に形成された第１切込み１０８に、起立片１０６の底縁に形成された第２切込み１０９を係合させることにより、底組箱１０３に組み付けられている。
【０００６】
しかしながら、前記段ボール製受け台１０１は、底組箱１０３の平面視角枠状をなす底面により囲まれた開口部１１０が形成されており、支持部材１０２上に載置された物品が開口部１１０から露出するという不都合がある。また、前記段ボール製受け台１０１では、補強片１０４が起立片１０６を第２支持部材１０２ｂに直交させて組み付けられているので、第２支持部材１０２ｂをその全長に亘って補強することができないという不都合がある。
【先行技術文献】
【特許文献】
【０００７】
【特許文献１】特開平８−１１９３６６号公報
【発明の概要】
【発明が解決しようとする課題】
【０００８】
本発明は、以上の点に鑑み、載置される物品を確実に支持することができるとともに、物品が底側に露出することを防止することができる段ボール製受け台を提供することを目的とする。
【課題を解決するための手段】
【０００９】
かかる目的を達成するために、本発明は、物品を収容する際に上に載置される物品を支持する支持部材を有する底組箱と、支持部材を補強する補強片とを備える段ボール製受け台において、底組箱は、互いに対向する１対の第１側壁、及び、第１側壁に隣り合って互いに対向する１対の第２側壁により形成された角筒状の胴部と、第１側壁の底縁に折目線を介して連設された第１底片と、第１底片の先端縁に折目線を介して連設された第１折返し片と、第２側壁の底縁に折目線を介して連設された第２底片と、第２底片の先端縁に折目線を介して連設された第２折返し片とを備え、第１底片を折目線に沿って水平に折り曲げ、第１折返し片を折目線に沿って折り曲げることにより、第１折返し片が起立され、第２底片を折目線に沿って水平に折り曲げ、第２折返し片を折目線に沿って折り曲げるとともに、第２折返し片の先端縁に設けられた２条の第１切込みにより形成された１対の第１舌片を、第１底片及び第１折返し片に亘って形成された１対の挿入孔に挿入することにより、第２底片の両隅部が第１底片の両隅部に重合されるとともに、第２折返し片が第１折返し片に係合して起立され、水平にされた第１底片及び第２底片により平面視角枠状をなす底面が形成され、起立された第１折返し片及び第２折返し片により平面視井桁状をなす支持部材が形成され、補強片は、第２側壁に相当する長さを有する底板と、底板の両端縁に折目線を介して連設された１対の第３折返し片とを備え、第３折返し片を折目線に沿って折り曲げるとともに、第３折返し片の先端縁に設けられた２条の第２切込みにより形成された１対の第２舌片を、前記１対の挿入孔に挿入することにより、底面により囲まれた開口部が底板にて塞がれるとともに底板の両隅部が第１底片の中央部に重合され、第３折返し片が第１折返し片に係合して起立されるとともに第２折返し片に重合されることを特徴とする。
【００１０】
本発明の段ボール製受け台において、まず、底組箱について、第１底片を折目線に沿って水平に折り曲げ、第１折返し片を折目線に沿って折り曲げることにより、第１折返し片が起立される。次に、第２底片を折目線に沿って水平に折り曲げ、第２折返し片を折目線に沿って折り曲げるとともに、第２折返し片の先端縁に形成された１対の第１舌片を、第１底片及び第１折返し片に亘って形成された１対の挿入孔に挿入する。これにより、第２底片の両隅部が第１底片の両隅部に重合されるとともに、第２折返し片が第１折返し片に係合して起立される。
【００１１】
以上により、底組箱において、水平にされた第１底片及び第２底片により平面視角枠状をなす底面が形成され、起立された第１折返し片及び第２折返し片により平面視井桁状をなす支持部材が形成される。また、底組箱には、平面視角枠状の底面により囲まれた開口部が形成される。
【００１２】
次に、補強片について、第３折返し片を折目線に沿って折り曲げるとともに、第３折返し片の先端縁に形成された１対の第２舌片を、前記１対の挿入孔に挿入する。これにより、補強片の底板にて底組箱の開口部が塞がれるとともに底板の両隅部が第１底片の中央部に重合され、第３折返し片が第１折返し片に係合して起立されるとともに第２折返し片に重合される。以上により、補強片が底組箱に組み付けられ、段ボール製受け台が形成される。
【００１３】
本発明の段ボール製受け台によれば、底組箱の支持部材は、第２折返し片が補強片の第３折返し片と重合されて、大きな強度を得ることができることにより、上に載置される物品を確実に支持することができる。
【００１４】
また、本発明の段ボール製受け台によれば、補強片の底板にて底組箱の開口部が塞がれることにより、支持部材の上に載置される物品が底側に露出することを防止することができる。
【００１５】
さらに、本発明の段ボール製受け台は、前記各折返し片は、先端縁に前記物品の形状に合致する凹部を備えることが好ましい。前記構成によれば、凹部に物品が納まることにより、支持部材に対する物品の座りを良くすることができる。
【図面の簡単な説明】
【００１６】
【図１】本実施形態の段ボール製受け台を示す斜視図である。
【図２】図１に示す段ボール製受け台に係る底組箱及び補強片の展開図である。
【図３】図１に示す段ボール製受け台の組立図である。
【図４】図１に示す段ボール製受け台の組立図である。
【図５】図１に示す段ボール製受け台の底部を示す斜視図である。
【図６】従来技術における段ボール製受け台を示す斜視図である。
【発明を実施するための形態】
【００１７】
次に、添付の図面を参照しながら本発明の実施の形態についてさらに詳しく説明する。図１に示す本実施形態の段ボール製受け台１は、段ボール箱（図示せず）内に収納される物品、特に底部に突起部分を有するシャワートイレ等の物品（図示せず）を載置するためのものであり、上に載置される該物品を支持する支持部材２を有する底組箱３と、支持部材２を補強する補強片５とで構成されている。
【００１８】
底組箱３は、図２（ａ）に展開して示すように、打ち抜いて形成された１枚の第１段ボール板紙３１を折り曲げることにより組み立てられる。第１段ボール板紙３１では、１対の第１側壁３２と１対の第２側壁３３とが横方向に交互に折目線Ｌａを介して連設され、一方の側端に位置する第２側壁３３の側縁には折目線Ｌｂを介して接着片３４が連設されている。
【００１９】
第１側壁３２の底縁には折目線Ｌｃを介して第１底片３５が連設され、第１底片３５の先端縁には折目線Ｌｄを介して第１折返し片３６が連設されている。第１底片３５及び第１折返し片３６には１対の挿入孔３７が両者に亘って形成されている。第１折返し片３６の先端縁には前記物品の形状に合致する第１凹部３８が形成されている。
【００２０】
一方、第２側壁３３の底縁には折目線Ｌｅを介して第２底片３９が連設され、第２底片３９の先端縁には折目線Ｌｆを介して第２折返し片４０が連設されている。第２折返し片４０には先端縁に設けられた２条の第１切込み４１により１対の第１舌片４２が形成されている。一方の第２折返し片４０の先端縁には前記物品の形状に合致する第２凹部４３が形成されている。
【００２１】
補強片５は、図２（ｂ）に展開して示すように、打ち抜いて形成された１枚の第２段ボール板紙５１を折り曲げることにより組み立てられる。第２段ボール板紙５１では、第２側壁３３に相当する長さを有する底板５２の両端縁に、折目線Ｌｇを介して１対の第３折返し片５３が連設されている。第３折返し片５３の先端縁には２条の第２切込み５４により１対の第２舌片５５が形成されている。一方の第３折返し片５３の先端縁には第２凹部４３の形状に合致すると第３凹部５６が形成されている。
【００２２】
次に、段ボール製受け台１の組立について説明する。まず、図２（ａ）に示す第１段ボール板紙３１を折目線Ｌａに沿って折り曲げ、接着片３４を折目線Ｌｂに沿って折り曲げ反対側の第１側壁３２の側端部内面に接着することにより、図３（ａ）に示す角筒状の胴部４４を形成する。次に、第１底片３５を折目線Ｌｃに沿って水平に折り曲げ、第１折返し片３６を折目線Ｌｄに沿って折り曲げることにより、図３（ｂ）に示すように第１折返し片３６を起立させる。
【００２３】
次に、第２底片３９を折目線Ｌｅに沿って水平に折り曲げ、第２折返し片４０を折目線Ｌｆに沿って折り曲げるとともに、第２折返し片４０に形成された第１舌片４２を、第１底片３５及び第１折返し片３６に形成された挿入孔３７に挿入する。これにより、第２底片３９の両隅部３９ａを第１底片３５の両隅部３５ａに重合させる（図５参照）とともに、第２折返し片４０を第１折返し片３６に係合して起立させる。
【００２４】
以上により、図４（ａ），（ｂ）に示す底組箱３が組み立てられ、水平となった第１底片３５及び第２底片３９により平面視角枠状をなす底面４５が形成され、起立する第１折返し片３６及び第２折返し片４０により平面視井桁状をなす支持部材２が形成される。また、底組箱３には、平面視角枠状の底面４５により囲まれた開口部４６が形成される。
【００２５】
次に、図２（ｂ）に示す第２段ボール板紙５１の第３折返し片５３を折目線Ｌｇに沿って折り曲げて図４（ａ）に示す補強片５とし、第３折返し片５３の先端縁に形成された第２舌片５５を底組箱３の挿入孔３７に挿入する。これにより、図５に示すように、底組箱３の底面４５により囲まれた開口部４６が補強片５の底板５２にて塞がれる。同時に、底板５２の両隅部５２ａが第１底片３５の中央部３５ｂに重合され、第３折返し片５３が第１折返し片３６に係合して第２折返し片４０に重合される。以上により、補強片５が底組箱３に組み付けられ、図１に示す段ボール製受け台１が完成する。
【００２６】
本実施形態の段ボール製受け台１によれば、底組箱３の支持部材２は、第２折返し片４０が補強片５の第３折返し片５３と重合されて、大きな強度を得ることができることにより、上に載置される物品を確実に支持することができる。
【００２７】
また、本実施形態の段ボール製受け台１によれば、補強片５の底板５２にて底組箱３の開口部４６が塞がれることにより、支持部材２の上に載置される物品が底側に露出することを防止することができる。
【００２８】
また、本実施形態の段ボール製受け台１によれば、底組箱３の第１底片３５の両隅部３５ａには補強片５の第２底片３９の両隅部３９ａが重合される一方、底組箱３の第１底片３５の中央部３５ｂには底板５２の両隅部５２ａが重合される。これにより、胴部４の底縁に段差が形成されることがなく、床面等に置かれた際の段ボール製受け台１の座りを良くすることができる。
【００２９】
さらに、本発明の段ボール製受け台１は、前記各折返し片３６，４０，５３は、先端縁に物品の形状に合致する凹部３８，４３，５６を備えることにより、各凹部３８，４３，５６に物品が納まって支持部材２に対する物品の座りを良くすることができる。
【符号の説明】
【００３０】
１…段ボール製受け台、  ２…支持部材、  ３…底組箱、  ５…補強片、  ３２…第１側壁、  ３３…第２側壁、  ３５…第１底片、  ３５ａ…第１底片の両隅部、  ３５ｂ…第１底片の中央部、  ３６…第１折返し片、  ３７…挿入孔、  ３８…第１折返し片の凹部、  ３９…第２底片、  ３９ａ…第２底片の両隅部、  ４０…第２折返し片、  ４１…第１切込み、  ４２…第１舌片、  ４３…第２折返し片の凹部、  ４４…胴部、  ４５…底面、  ４６…開口部、  ５２…底板、  ５２ａ…底板の両隅部、  ５３…第３折返し片、  ５４…第２切込み、  ５５…第２舌片、  ５６…第３折返し片の凹部、  Ｌｃ，Ｌｄ，Ｌｅ，Ｌｆ，Ｌｇ…折目線。
【図１】
2010163168.tif 000003
【図２】
2010163168.tif 000004
【図３】
2010163168.tif 000005
【図４】
2010163168.tif 000006
【図５】
2010163168.tif 000007
【図６】
2010163168.tif 000008